(57)【特許請求の範囲】
【請求項１】
インキタンク内の圧力変化に応じた溢出インキを一時的に溜めるインキ溜め部材を軸筒内に有した液体塗布具において、
軸筒にはインキ溜め部材の配設側の反対側端から中央部に寄った位置に仕切り壁を設けて、インキ溜め部材後端と仕切り壁との間の軸筒内空間をインキタンクとし、
軸筒部外面部の仕切り壁周辺位置は不透明に形成し、
前記不透明な部分は、仕切り壁より前方部分がグラデーションにより徐々に透明な部分に移行して、インキタンク内のインキが外部から視認可能になっていることを特徴とする液体塗布具。
【請求項２】
前記不透明な部分は、軸筒外面に転写印刷により施すことを特徴とする請求項１に記載の液体塗布具。
【請求項３】
インキタンク内の圧力変化に応じた溢出インキを一時的に溜めるインキ溜め部材を軸筒内に有した液体塗布具において、
軸筒にはインキ溜め部材の配設側の反対側端から中央部に寄った位置に仕切り壁を設けて、インキ溜め部材後端と仕切り壁との間の軸筒内空間をインキタンクとし、
軸筒の仕切り壁より後方は、筒状に開放した後端部であり、この後端部には、内周に縦溝を形成し、尾栓で封鎖するときに空気を抜く構造を形成したことを特徴とする液体塗布具。
【発明の詳細な説明】
【０００１】
【発明の属する技術分野】
本発明は、インキタンク内の圧力変化に応じた溢出インキを一時的に溜めるインキ溜め部材を軸筒内に有したサインペンなど筆記具を含む液体塗布具に関する。
【０００２】
【従来の技術】
従来、筆記具などの液体塗布具においては、一時的インキ溜め部材（コレクターとも称する）は軸筒に内嵌して軸筒内に固定し、そのインキ溜め部材から後方の軸筒内部をインキタンクとしているものがある（実開平６−１２０８３号公報など参照）。
【０００３】
【発明が解決しようとする課題】
ところで、前記筆記具では、インキタンクの収容量はインキ溜め部材のインキ保溜能力に左右され、インキタンクだけ大きくするとボタ落ちする等の不具合が生じる。逆にインキタンクの収容量に合わせてインキ溜め部材を設計するとインキ溜め部材が大きくなり、筆記具軸筒の太径化を招き、設計の自由度が低くなる。
これに対して、軸筒の後部を短くしてインキタンクの収容量を少なくしようとしても、軸筒の長さは筆記具としての持ち易さの観点からあまり短くできない。
【０００４】
そこで、軸筒内に仕切り壁を設けて上げ底にして、この仕切り壁とインキ溜め部材後端との間をインキタンクとすることを考えたが、軸筒を透明なものにしたときには、仕切り壁が目立ち見栄えが悪くなりやすい。このためインキタンクの外面から不透明の印刷を施して隠したとしても、インキ色が見えにくくまた、外観品質向上の観点からもさらなる提案が要請された。
また、軸筒を樹脂成形するときに仕切り壁を形成するためには軸筒後端を開放した状態にする必要があり、軸筒後端は尾栓で閉鎖することになるが、尾栓を軸筒後端にはめ込むのときには、空気がはいっままたので嵌めにくい問題点が生じる。
なお、上記の問題は、筆記具以外の各種の液体塗布具においても同様である。
【０００５】
本発明は、前記従来の問題点に鑑みてなされたものであって、軸筒にインキタンクを形成する仕切り壁を外観上目立たなくしかつ外観品質を向上でき、また、軸筒後端の後端に嵌める尾栓を容易に嵌めることができる液体塗布具を提供することを目的とする。
【０００６】
【課題を解決するための手段】
本発明は、前記目的を達成するため、次の構成を有する。
本発明は、インキタンク内の圧力変化に応じた溢出インキを一時的に溜めるインキ溜め部材を軸筒内に有した液体塗布具において、
軸筒にはインキ溜め部材の配設側の反対側端から中央部に寄った位置に仕切り壁を設けて、インキ溜め部材後端と仕切り壁との間の軸筒内空間をインキタンクとし、
軸筒部外面部の仕切り壁周辺位置は不透明に形成し、
前記不透明な部分は、仕切り壁より前方部分がグラデーションにより徐々に透明な部分に移行して、インキタンク内のインキが外部から視認可能になっていることを特徴とする液体塗布具である。
本発明において、前記不透明な部分は、軸筒外面に転写印刷により施すことができる。
本発明は、インキタンク内の圧力変化に応じた溢出インキを一時的に溜めるインキ溜め部材を軸筒内に有した液体塗布具において、
軸筒にはインキ溜め部材の配設側の反対側端から中央部に寄った位置に仕切り壁を設けて、インキ溜め部材後端と仕切り壁との間の軸筒内空間をインキタンクとし、
軸筒の仕切り壁より後方は、筒状に開放した後端部であり、この後端部には、内周に縦溝を形成し、尾栓で封鎖するときに空気を抜く構造を形成したことを特徴とする液体塗布具である。
【０００７】
本発明の液体塗布具によれば、軸筒部外面部の仕切り壁周辺位置は不透明のグラデーションを形成したので、見栄えよく仕切り壁を隠すことができる。
また、軸筒後端を尾栓で塞ぐときに空気を抜けるので、容易に尾栓嵌着作業ができる。なお、空気抜き構造としては、軸筒開放後端内周に縦溝を形成し、尾栓嵌着中は空気が抜け、嵌着終了と同時に閉鎖する構造が好ましい。
【０００８】
【発明の実施の形態】
以下、図面を参照して本発明の実施形態を詳細に説明する。
図１は実施形態に係る筆記具の全体縦断面説明図、図２は軸筒の半断面図、図３において（ａ）は図２のＡ部拡大図、（ｂ）は図２のＢ−Ｂ線に沿う断面図４は尾栓の詳細半断面図、図５は筆記具の外観図である。
【０００９】
図１に示すように、筆記具は、インキタンク１０内の圧力変化に応じた溢出インキを一時的に溜めるインキ溜め部材１２を軸筒１４内に有したものである。
すなわち、この筆記具は、インキタンク１０の前方にインキ溜め部材１２が設けられている。該インキ溜め部材１２は、中央の概略筒状の中央筒部後端に垂直に展開するように配置された円盤状の板状部１６が軸筒１４本体内周に嵌着して水密に形成されるものである。この後端の板状部１６の前方にさらに薄い円盤状の薄板部１８が複数配設した構造となって、この薄板部１８、１８、１８…同士の間隙に毛細管力によるインキ貯溜溝（横溝）を形成したインキ貯溜部とするものである。
【００１０】
また、複数の薄板部１８には、前記中央筒部を残してインキ溜め部材１２の長さ方向に沿ってスリット状のインキ誘導溝（縦溝）２２が形成されている。このインキ誘導溝２２の溝幅はインキ貯溜溝２０のどの溝幅よりも小さくできていて常にインキが満ち、インキタンク１０内の圧力上昇時の余剰インキをインキ貯溜溝２０内に直ちに誘導できるようになっている。
インキ誘導溝２２は、各薄板部１８間にわたって形成されると共に板状部１６のインキタンク１０内への開口溝２４に連続している。
【００１１】
前記インキ溜め部材１２において薄板部１８は中空の中央筒部１２ａにより連結支持した構造に一体成形されたものである。
また、この中央筒部１２ａ内周の中空部内には、繊維心などからなる中継芯２６が収容され、この中継芯２６によりインキタンク１０内のインキを軸筒１４先端部に配設されたペン先２８に供給している。ペン先２８に、フェルトペン、ボールペン等を用いることができる。
【００１２】
なお、インキ溜め部材１２の薄板部１８外周には、空気通路となる切り欠き３０がインキ溜め部材１２の長さ方向に連なって形成されている。また、ペン先２８は、インキ溜め部材１２先端に延びた大径筒状部１２ｂに装着されている。そして、この大径筒状部１２ｂを含めてインキ溜め部材１２前部外周と軸筒１４前部内周との間に筒状のホルダー３２が嵌着してインキ溜め部材１２を軸筒１４から抜け止めしている。
また、この大径筒状部１２ｂの外周の溝１２ｃとホルダー３２内周との間で空気通路が形成されていて該切り欠き３０の空気通路を介して前記開口溝２４に連通することにより、インキタンク１０の気液置換がスムーズに行われるようになっている。
【００１３】
筆記具不使用時に、ペン先２８を覆う有底筒状のキャップ３４は、軸筒１４のインキ溜め部材１２設置部を半ばまで覆うように着脱自在に設けられる。
キャップ３４は頂部の蓋状部材３４Ａが側面筒部材３４Ｂに嵌着した構造を呈し、蓋状部材３４Ａにはクリップ３４ａが一体形成され、かつ、先端から内部にかけては空気抜き孔３４ｂが形成されている。
キャップ３４内部にはペン先２８を覆いかつホルダー３２先端に嵌着する椀状の内キャップ３４ｃがスプリング３４ｄにより前後動可能に設けられている。キャップ３４を軸筒１４にはめるときには、まずこの内キャップ３４ｃがホルダー３２先端に嵌まるが、この状態ではキャップ３４は軸筒１４に完全には嵌着しておらず、さらにキャップ３４を押し込んでいくと内キャップ３４ｃをスプリング３４ｄで押圧しつつキャップ３４開口端内側の係止機構が軸筒に嵌着して固定するようになっている。
【００１４】
ここで、軸筒１４には、図２に示すように、インキ溜め部材１２の配設側の反対側端（後端）から中央部に寄った位置に仕切り壁３８を設けて、インキ溜め部材１２後端の板状部１６と仕切り壁３８との間の軸筒１４内空間をインキタンク１０としている。
そして、図５に示すように軸筒部１４外周面部４０の仕切り壁３８周辺位置には不透明の印刷面４２を形成している。この不透明の印刷面４２は、転写印刷により施している。また、この印刷面４２の前方部４２ａは叙々に濃度の薄くなるグラデーションにしており、透明になった部分でインク色を外部から視認できるようになっている。また、グラデーションが目立つので、転写印刷の端部のバリが目立たなくなる。
【００１５】
また、図３に示すように、軸筒１４の仕切り壁３８より後方の筒状に開放した後端開口部１４ｔは、尾栓４４で封鎖する。この尾栓４４は、図４に示すように、前方の開放した概略筒状を呈し、後端が封鎖してかつフランジ４４ｆが側方に突出したものである。なお、尾栓４４の側面部には、軸筒後端内との密着性を高めるためにリブ４４ｒが突出形成されている。
【００１６】
そして、図３に示すように、尾栓４４が嵌着して封鎖する軸筒１４後端部では、内周面部に空気を抜く構造として、２条等の任意個数の縦溝４６を形成したものである。尾栓４４を軸筒後端開放に押し込んで嵌着しようとする際には、縦溝４６がないと尾栓４４の押し込み距離に応じて軸筒１４内の仕切り壁３８後方の内圧が高くなろうとして尾栓の進行を妨げるが、前記縦溝４６から空気が抜けるので内圧が高くならず、尾栓４４は無理なく進行してぴったりと嵌めることができる。なお、軸筒後端開口部１４ｔの内縁部には段部４８が形成されていて、この段部４８には、尾栓４４のフランジ４４ｆが嵌まり込み前記縦溝４６が見えなくなり外観品質の向上を図っている。
【００１７】
なお、前記実施形態では、本発明を筆記具に採用した場合を説明したが、そのほか、修正液塗布具、化粧品等の塗布具として用いることができる。
【００１８】
【発明の効果】
以上説明した通り本発明によれば、軸筒にインキタンクを形成する仕切り壁を外観上目立たなくしかつ外観品質を向上でき、また、軸筒後端の後端に嵌める尾栓を容易に嵌めることができる。
【図面の簡単な説明】
【図１】実施形態に係る筆記具の全体縦断面説明図である。
【図２】軸筒の半断面図である。
【図３】（ａ）は図２のＡ部拡大図、（ｂ）は図２のＢ−Ｂ線に沿う断面である。
【図４】尾栓の詳細半断面図である。
【図５】筆記具の外観図である。
【符号の説明】
１０  インキタンク
１２  インキ溜め部材
１４  軸筒
３８  仕切り壁
４２  印刷面
４４  尾栓
４６  縦溝
４８  段部
【図１】
0004544670.tif 000002
【図２】
0004544670.tif 000003
【図３】
0004544670.tif 000004
【図４】
0004544670.tif 000005
【図５】
0004544670.tif 000006